(57)【要約】【課題】  良好な冷感を持続的に得ることができるとともに、べたつき感を抑え、さらには、保冷剤の冷却効果を長時間持続させることができる冷却具を得る。【解決手段】  布製の裏面生地４と表面生地５との間に吸水性部材６が封入された本体部２に、保冷剤７を挿脱自在に収容するポケット部３を形成した冷却具１であって、ポケット部３は、本体部２の表面生地５側にポケット部用生地８を重ね合わせて形成され、ポケット部用生地８は、合成繊維と天然繊維との混紡繊維からなり、天然繊維の混率を５０〜８０質量％とした。【選択図】  図１
2013169341.tif 000002
【特許請求の範囲】
【請求項１】
布製の裏面生地と表面生地との間に吸水性部材が封入された本体部に、保冷剤を挿脱自在に収容するポケット部が形成された冷却具であって、
前記ポケット部は、前記本体部の表面生地側にポケット部用生地を重ね合わせて形成され、前記ポケット部用生地は、化学繊維と天然繊維との混紡繊維からなり、前記天然繊維の混紡率が５０〜８０質量％であることを特徴とする冷却具。
【請求項２】
前記化学繊維は、キュプラ、アセテート、トリアセテート、ナイロン、ポリエステル、アクリル、アクリル系、エチレンビニルアルコール繊維、ポリエーテルエステル系繊維の単独又はこれらの混紡であり、前記天然繊維は、綿、絹、麻の単独又はこれらの混紡であることを特徴とする請求項１に記載の冷却具。
【発明の詳細な説明】
【技術分野】
【０００１】
本発明は、身体の所望部分、特に、首筋に装着して使用する冷却具に関する。
【背景技術】
【０００２】
従来、夏場の暑さ対策として、水が気化する気化熱を利用した冷却具が知られており、このようなものとして、吸水性繊維や高分子ポリマーからなる吸水性部材を封入した本体部を水に浸し、これを首筋に装着して、水が気化する気化熱により首筋を冷やして体温を下げる冷却具や、水に浸した本体部に冷やした保冷剤を挿入し、気化熱による冷却効果に加え、保冷剤による冷却効果によって、より強力に首筋を冷やす冷却具が知られている。
【０００３】
このような冷却具として、例えば、速乾性繊維からなる２重の生地の間に吸水性を有する吸水性部材を挟み込み、２重の生地を縫い合わせて本体部を形成し、この本体部に保冷剤を挿脱自在に収容するポケット部を設けた冷却具が提供されている（例えば、特許文献１参照。）。
【先行技術文献】
【特許文献】
【０００４】
【特許文献１】特開２０１０−１３３０４１号公報
【発明の概要】
【発明が解決しようとする課題】
【０００５】
上記した従来の冷却具においては、本体部を水に浸して濡らした後、ポケット部に冷えた保冷剤を挿入して首筋に装着する場合、強い冷却効果を求めるときは、保冷剤が挿入されたポケット部を直接肌にあてて使用し、また、比較的穏やかな冷却効果を求めるときは、ポケット部が設けられてない側を肌にあてて使用するなど、使用者の求める冷却効果に応じて使い分けられている。
【０００６】
このような従来の冷却具にあっては、保冷剤が挿入されたポケット部を直接肌にあてて使用する場合、従来の冷却具は保冷剤を収容するポケット部が、例えばポリエステルなどの速乾性の化学繊維からなる生地で形成されているため、ポケット部の生地に含浸した水分が短時間で蒸発し、生地がすぐに乾燥してしまう。このように乾燥したポケット部の生地は熱伝導性が悪くなるため、保冷剤の冷感が肌に伝わり難く、良好な冷感が得られないといった問題があった。
【０００７】
また、ポケット部が設けられてない側を肌にあてて使用する場合には、従来の冷却具はポケット部の生地に含浸した水分が短時間で蒸発し、生地がすぐに乾燥してしまうため、保冷剤が高温環境下の温かい空気によって温められてしまい、短時間に保冷剤の冷却効果がなくなってしまうといった問題があった。
【０００８】
このような問題を解消するために、ポケット部の生地に吸水、保水性の高い天然繊維を使用することも考えられるが、ポケット部に天然繊維のみの生地を使用した場合、ポケット部を直接肌にあてて使用すると、天然繊維のみの生地は必要以上に水分を保持してしまうため、生地が肌に張り付いてしまい、肌接触面にべたつきが生じ、不快感を与えるといった問題があった。
【０００９】
本発明の目的は、良好な冷感を持続的に得ることができるとともに、べたつき感を抑え、さらには、保冷剤の冷却効果を長時間持続させることができる冷却具を提供することにある。
【課題を解決するための手段】
【００１０】
本発明者は上記の課題を解決するために鋭意検討した結果、ポケット用生地を化学繊維と天然繊維との混紡繊維で構成し、かつ、天然繊維を特定の混紡率とすることによって、上記の課題を解決可能であることを見出し、本発明を完成するに至った。
【００１１】
上記の目的を達成するために、請求項１に係る発明は、布製の裏面生地と表面生地との間に吸水性部材が封入された本体部に、保冷剤を挿脱自在に収容するポケット部が形成された冷却具であって、前記ポケット部は、前記本体部の表面生地側にポケット部用生地を重ね合わせて形成され、前記ポケット部用生地は、化学繊維と天然繊維との混紡繊維からなり、前記天然繊維の混紡率が５０〜８０質量％であることを特徴とする。
【００１２】
請求項２に係る発明は、請求項１に記載の、前記化学繊維は、キュプラ、アセテート、トリアセテート、ナイロン、ポリエステル、アクリル、アクリル系、エチレンビニルアルコール繊維、ポリエーテルエステル系繊維の単独又はこれらの混紡であり、前記天然繊維は、綿、絹、麻の単独又はこれらの混紡であることを特徴とする。
【発明の効果】
【００１３】
本願発明は、保冷剤を挿脱自在に収容するポケット部のポケット部用生地を天然繊維と化学繊維との混紡繊維で構成しているので、ポケット部を直接肌にあてて使用するときでも、化学繊維の特質である速乾性により、肌接触面のべたつきを抑えることができる。
【００１４】
また、ポケット部用生地の天然繊維の混紡率を５０〜８０質量％としているので、天然繊維の高い吸水、保水性により、ポケット部用生地に長時間水を含んだ状態を維持することができる。これにより、熱伝導性の良い状態を長時間維持することができ、良好な冷感を持続的に得ることができる。
【００１５】
さらに、ポケット部が設けられていない側を肌にあてて使用する場合でも、ポケット部用生地に長時間水を含んだ状態を維持することができるので、保冷剤が温かい空気にさらされるのを極力防ぐことができ、また、ポケット部用生地に水が含浸されている間は、水が気化する気化熱により、ポケット部内を冷やすことができるため、高温環境下でも保冷剤の冷却効果が十分に発揮されるとともに、保冷剤の冷却効果を長時間持続させることができる
【図面の簡単な説明】
【００１６】
【図１】本発明の冷却具の一例を示す表面図である。
【図２】図１の冷却具の裏面図である。
【図３】図１のＡ−Ａ線断面図である。
【図４】本例のポケット部に保冷剤を挿入する状態を示す説明図である。
【図５】本例の冷却具を首筋に装着した状態を示す説明図である。
【発明を実施するための形態】
【００１７】
以下、この発明に係る冷却具を実施するための形態を、図面を参照して詳細に説明する。  
図１乃至図５は本発明に係る冷却具の一例を示したもので、図１は本発明の冷却具の一例を示す表面図、図２は図１の冷却具の裏面図、図３は図１のＡ−Ａ線断面図、図４は本例のポケット部に保冷剤を挿入する状態を示す説明図、図５は本例の冷却具を首筋に装着した状態を示す説明図である。なお、本発明の冷却具として、本例では、首筋に装着して使用する冷却具を説明する。
【００１８】
本例の冷却具１は、布製の裏面生地と表面生地との間に吸水性部材が封入された本体部２に、保冷剤を挿脱自在に収容するポケット部３が形成されている。なお、本例の説明において、裏面とは、ポケット部３が設けられていない側の面をいい、表面とは、ポケット部３が設けられている側の面をいう。
【００１９】
本体部２は、図３に示すように、布製の裏面生地４と表面生地５を重ねて、その縁を縫い合わせることにより形成されている。本例では、裏面生地４と表面生地５とがそれぞれ一枚の布片となっており、これらを重ねてその縁を縫い合わせて形成されているが、一枚の布片を折り返して同様の形状になるように縫い合わせて形成してもよい。
【００２０】
本体部２の形状にあっては、首に巻き付けられように、略帯状に形成されており、本例では、横長８角形状に形成されている。また、本体部２の大きさは、左右長手方向の長さが、２５ｃｍ〜５５ｃｍ程度であることが好ましく、上下短手方向の長さが、４ｃｍ〜１５ｃｍ程度であることが好ましい。なお、本体部２の形状、大きさについては、これらに限定されるものではなく、使用する者の性別や体格によって要求される形状、大きさに適宜変更可能である。
【００２１】
本体部２の裏面生地４は、透水性と速乾性を有する繊維として、ポリエステル、アクリル、ポリオレフィン、ポリアミドの単独又はこれらの混紡などの化学繊維からなる布が用いられ、特に、吸水速乾性ポリエステル繊維が好適に用いられる。吸水速乾性のポリエステル繊維としては、中空繊維の壁面に更に小さな孔が多数設けられている繊維や、繊維表面などに多くの溝や孔などが設けられて、吸水性はこれら繊維自体の微小な孔、繊維表面の溝、繊維間、糸間の空隙に水分が吸収されるようにした異形断面形状の繊維などで、化学繊維メーカーにより、吸水速乾性繊維として各種市販されているものを用いることができる 。吸水速乾性ポリエステル繊維としては、例えば、インビスタ社製“クールマックス”（登録商標）、東レ株式会社製“セオα”（登録商標）、帝人ファイバー株式会社製“ウエルキイ”（登録商標）、東洋紡績株式会社製“ドライファスト”（登録商標）、旭化成せんい株式会社製“テクノファイン”（登録商標）などが挙げられる。
【００２２】
また、本体部２の表面生地５は、透水性を有する繊維であれば特に限定されず、裏面生地４と同じ素材のものを用いても良いし、後述するポケット部３の生地と同じ素材のものを用いても良い。本例では、本体部２の表面生地５は、後述するポケット部３の生地と同じ素材のもので形成されている。
【００２３】
図３に示すように、本体部２には、裏面生地４と表面生地５との間に吸水性部材６が封入されている。吸水性部材６としては、高吸水性繊維や粒状の吸水性ポリマーなどを用いることができ、本例では、高吸水性繊維が用いられている。高吸水性繊維としては、例えば、帝人ファイバー株式会社“ベルオアシス”（登録商標）や東洋紡績株式会社製“ランシール”（登録商標）などが挙げられる。
【００２４】
本体部２の表面側には、保冷剤７を挿脱自在に収容するポケット部３が形成されており、ポケット部３は、本体部２の表面生地５にポケット部用生地８を重ね合わせ、一部に開口部９を形成するようにして本体部２に縫い付けられている。ポケット部３の位置は、装着時に首の後部周辺に対応する位置とするのが好ましい。本例では、本体部２に１つのポケット部３が設けられているが、保冷剤７を複数使用する場合には、それに合わせてポケット部３を複数設けても良い。
【００２５】
ポケット部用生地８は、速乾性を有する化学繊維と吸水、保水性を有する天然繊維との混紡繊維で構成されている。化学繊維としては、キュプラ、アセテート、トリアセテート、ナイロン、ポリエステル、アクリル、アクリル系、エチレンビニルアルコール繊維、ポリエーテルエステル系繊維の単独又はこれらの混紡であり、特に、速乾性に優れたポリエステル繊維が好適に用いられる。前記天然繊維は、綿、絹、麻の単独又はこれらの混紡糸が用いられ、特に、吸水、保水性に優れた綿が好適に用いられる。本例のポケット部用生地８は、ポリエステル繊維と綿との混紡繊維となっている。
【００２６】
そして、ポケット部用生地８中の天然繊維の混紡率は、５０〜８０質量％である。混紡率が５０％未満の場合には、吸水、保水性が低くなり、ポケット部用生地８に含浸した水分が短時間で蒸発し、生地がすぐに乾燥するため、所望の効果を発揮することができない。また、混紡率が８０％を超える場合は、吸水、保水性が高くなりすぎてしまい、ポケット部用生地８が必要以上の水分を保持してしまうため、生地が肌に張り付き、肌接触面にべたつきが生じ、不快感を与える。
【００２７】
保冷剤７としては、一定時間冷却効果を有するものであれば特に限定されず、例えば、ナイロンポリエテレン等の合成樹脂フィルムにより、水を吸収したポリアクリル酸ナトリウムなどの高吸水性高分子、カルボキシメチルセルロースなどの増粘剤からなるゲル状物等の保冷媒体を封入したものを用いることができる。
【００２８】
本例の冷却具１には、本体部２を首筋に装着する際に、本体部２が首筋から脱落することを防止する装着手段１０が設けられている。本例の装着手段１０は、環状の紐部材１１と、環状部分の大きさを調節する調節具１２とで構成されており、本例では、調節具１２が取り付けられた一本の紐部材１１の両端が、本体部２の長さ方向の両端にそれぞれ固着されて設けられている。調節具１２は、２つの孔に紐部材１１が通され、バネの付勢力を利用して、圧したときに孔が開いて係合が解除され、離したときに孔が閉じて係合するようになっている。
【００２９】
装着手段１０は、本体部２を首筋に装着する際に、本体部２が首筋から脱落することを防止するものであれば特に限定されず、例えば、装着手段１０として、面ファスナー雄部と面ファスナー雌部とからなる止め具を用いても良い。
【００３０】
次ぎに、このように構成された冷却具１の使用方法について説明する。  
まず、本体部２全体に水道水をかけるか、もしくは水を溜めた洗面器等の容器を利用して本体部２全体を水に浸漬させて、吸水性部材６に水を含浸させる。次いで、本体部２を軽く絞って余分な水分を取り除いた後、冷凍庫で冷却させた保冷剤７をポケット部３の開口部９からポケット部３内に挿入する（図４）。
【００３１】
そして、使用者が強い冷却効果を求めるときは、ポケット部３が直接肌にあたるように本体部２を首筋にあて、或いは、使用者が比較的穏やかな冷却効果を求めるときは、本体部２の裏面生地４が肌にあたるように本体部を首筋にあてる。本体部２を首筋にあてた後、頭を通した紐部材１１の環状部分の大きさを調節具１２によって調節し、所望の位置で固定する。以上のようにして、冷却具１を首筋に装着することにより、図５に示すような状態となる。
【００３２】
以上のような本例の冷却具１によれば、ポケット部３のポケット部用生地８を天然繊維と化学繊維との混紡繊維で構成しているので、ポケット部３を直接肌にあてて使用するときでも、化学繊維の特質である速乾性により、肌接触面のべたつきを抑えることができる。
【００３３】
また、ポケット部用生地８の天然繊維の混紡率を５０〜８０質量％としているので、天然繊維の高い吸水、保水性により、ポケット部用生地８に長時間水を含んだ状態を維持することができる。これにより、熱伝導性の良い状態を長時間維持することができ、良好な冷感を持続的に得ることができる。
【００３４】
さらに、本体部２の裏面生地４を肌にあてて使用する場合でも、ポケット部用生地８に長時間水を含んだ状態を維持することができるので、保冷剤７が温かい空気にさらされるのを極力防ぐことができ、また、ポケット部用生地８に水が含浸されている間は、水が気化する気化熱により、ポケット部３内を冷やすことができるため、高温環境下でも保冷剤７の冷却効果が十分に発揮されるとともに、保冷剤７の冷却効果を長時間持続させることができる。
【００３５】
本例では、本発明の冷却具として、首筋に装着して使用する冷却具１を説明したが、本発明の冷却具は、他の例として、頭、足、腕、腰、脇の下などに装着する冷却具としても使用することができる。また、上述した本例の冷却具１の使用方法はあくまでも一例であり、本発明はこれに限定されるものではない。
【符号の説明】
【００３６】
１  冷却具
２  本体部
３  ポケット部
４  裏面生地
５  表面生地
６  吸水性部材  
７  保冷剤
８  ポケット部用生地
９  開口部
１０  装着手段
１１  紐部材
１２  調節具
【図１】
2013169341.tif 000003
【図２】
2013169341.tif 000004
【図３】
2013169341.tif 000005
【図４】
2013169341.tif 000006
【図５】
2013169341.tif 000007